(57)【要約】【課題】  システム管理用等の特殊モードの起動を簡易かつ高セキュリティで実現することができるようにした処理装置のモード切替方法および処理装置を提供する。【解決手段】  タッチパネル付きカラーＬＣＤ１１の待機画面１１ａ−１において、隠しボタンを予め設定された第１のバターンでタッチ操作することで特殊モードへの移行を許可する許可状態になり、この状態で時計表示画像を含む時計表示画面１１ａ−２を表示し、次に、隠しボタンをこの時計表示画像の秒表示の変化タイミングに略同期して予め設定された第２のバターンでタッチ操作することで特殊モードの起動を可能にする特殊モード起動画面１１ａ−４を表示する。【選択図】  図６
2005143967.tif 000002
【特許請求の範囲】
【請求項１】
タッチパネル付き液晶表示器を有する処理装置のモード切替方法において、
前記タッチパネル付き液晶表示器の画面上に隠しボタンを配置するとともに、
該画面上に所定タイミングで変化する画像の表示を行ない、
前記隠しボタンが前記変化する画像の変化タイミングに略同期してタッチ操作された場合に前記処理装置の動作モードを特殊モードに切り替える
ことを特徴とする処理装置のモード切替方法。
【請求項２】
前記変化する画像は、
時刻を表示する時刻表示画像であり、
前記時刻表示画像の変化タイミングに略同期して前記隠しボタンがタッチ操作された場合に前記処理装置の動作モードを特殊モードに切り替える
ことを特徴とする請求項１記載の処理装置のモード切替方法。
【請求項３】
前記隠しボタンが第１の所定の順序または回数でタッチ操作され場合は、前記処理装置の動作モードの前記特殊モードへの移行を許可する許可状態になり、
該許可状態において、第２の所定の順序または回数でタッチ操作され場合は、前記処理装置の動作モードを前記特殊モードへ移行する
ことを特徴とする請求項１記載の処理装置のモード切替方法。
【請求項４】
前記処理装置は、
遊技店に配置され、前記タッチパネル付き液晶表示器の画面上に各種情報を表示するとともに、該タッチパネル付き液晶表示器の画面上におけるタッチ操作により所定の情報の入力処理を行う処理装置であり、
前記処理装置の動作モードは、
前記所定の処理を行う一般モードから前記特殊モードへ切り替えられる
ことを特徴とする請求項１乃至３のいずれかに記載の処理装置のモード切替方法。
【請求項５】
タッチパネル付き液晶表示器を有し、該タッチパネル付き液晶表示器の画面上に各種情報を表示するとともに、該タッチパネル付き液晶表示器の画面上におけるタッチ操作により所定の情報の入力処理を行う処理装置において、
前記タッチパネル付き液晶表示器の画面上に隠しボタン領域を設定する隠しボタン領域設定手段と、
前記タッチパネル付き液晶表示器の画面上に所定タイミングで変化する画像の表示する表示制御手段と、
前記隠しボタン領域が前記変化する画像の変化タイミングに略同期してタッチ操作されたことを検出するタッチ操作検出手段と、
前記タッチ操作検出手段の検出出力に基づき動作モードを特殊モードに切り替える動作モード切替手段と
を具備することを特徴とする処理装置。
【請求項６】
前記表示制御手段は、
時刻の経過に応じて変化する時刻表示画像を表示し、
前記タッチ操作検出手段は、
前記表示制御手段により表示される時刻表示画像の変化タイミングに略同期して前記隠しボタンがタッチ操作されたかを検出する
ことを特徴とする請求項５記載の処理装置。
【請求項７】
前記タッチ操作検出手段は、
前記隠しボタンが第１の所定の順序または回数でタッチ操作され場合に前記特殊モードへの移行を許可する許可状態になったことを示す第１の検出信号を出力し、
前記第１の検出信号が出力した状態において、前記隠しボタンが第２の所定の順序または回数でタッチ操作され場合に前記特殊モードへの移行を行う第２の検出信号を出力し、
前記動作モード切替手段は、
前記タッチ操作検出手段から出力される前記第２の検出信号に基づき動作モードを特殊モードに移行する
ことを特徴とする請求項５記載の処理装置。
【請求項８】
前記処理装置は、
遊技店に配置された会員カード端末機または再プレイ玉貸機または再プレイメダル貸機である
ことを特徴とする請求項５乃至７のいずれかに記載の処理装置。
【発明の詳細な説明】
【技術分野】
【０００１】
この発明は、タッチパネル付き液晶表示器を有する処理装置のモード切替方法および処理装置に関し、特に、遊技店に配置された会員カード端末機または再プレイ玉貸機等におけるシステム管理用等の特殊モードの起動を簡易かつ高セキュリティで実現することができるようにした処理装置のモード切替方法および処理装置に関する。
【背景技術】
【０００２】
一般に、遊技店に配置されたタッチパネル付き液晶表示器を有する処理装置としては、例えば、カード／レシート発行機（特許文献１参照）等が知られている。
【０００３】
このカード／レシート発行機においては、一般の客等の利用者が使用する場合の通常モードと、従業員等の特定の者がシステム管理時に使用する場合のシステム管理用処理モードの２つを具えている。
【０００４】
そして、上記システム管理用処理モードを起動する場合には、そのカード／レシート発行機の所定の錠を解錠して外カバーを開放し、内部に配置される所定のボタン（モード設定スイッチともいう）を操作する。これにより、カード／レシート発行機においてシステム管理用処理モードが起動される。
【０００５】
このように、従来のカード／レシート発行機においては、一般の利用者が上述のような特殊なモードへの移行操作を行えないようにするために上述したような機械的ににプロテクトする構成を採用している。
【特許文献１】特開平４−２８５５７７号公報。
【発明の開示】
【発明が解決しようとする課題】
【０００６】
しかしながら、上記カード／レシート発行機にあっては、解錠→カバー開放→ボタン操作という一連の操作を行わなければならず、システム管理用の特殊モードの起動を簡易な作業で実現できないという不都合がある。
【０００７】
すなわち、上記構成においては、作業者に操作手間がかかると共に、システム管理用の特殊モードの起動までに多大な時間を要し、これにより、作業効率の低下を招くとともに、トラブル発生時においては、一般の利用者の使用を待たせることにもなるという不都合がある。
【０００８】
そこで、この発明は、システム管理用等の特殊モードの起動を簡易かつ高セキュリティで実現することができるようにした処理装置のモード切替方法および処理装置を提供することを目的とする。
【課題を解決するための手段】
【０００９】
上記目的を達成するため、この発明の処理装置のモード切替方法は、タッチパネル付き液晶表示器を有する処理装置のモード切替方法において、前記タッチパネル付き液晶表示器の画面上に隠しボタンを配置するとともに、該画面上に所定タイミングで変化する画像の表示を行ない、前記隠しボタンが前記変化する画像の変化タイミングに略同期してタッチ操作された場合に前記処理装置の動作モードを特殊モードに切り替えることを特徴とする。
【００１０】
ここで、「処理装置」とは、タッチパネル付き液晶表示器を有し、その動作モードをシステム管理用等の特殊モードに切り替える要求がある処理装置であれば各種処理装置を含むが、例えば、遊技店に配置され、タッチパネル付き液晶表示器の画面上に各種情報を表示するとともに、該タッチパネル付き液晶表示器の画面上におけるタッチ操作により所定の情報の入力処理を行う会員カード端末機、レシート発行機、会員情報端末機、再プレイ玉貸機、再プレイメダル貸機等も含む。
【００１１】
また、「隠しボタン」とは、タッチパネル付き液晶表示器の画面上には表示されないが、その領域だけは設定されるもので、この隠しボタン（隠しボタン領域）がタッチ操作されたか否かは装置側では検出可能なもので、この隠しボタンは１個でもよいが、高セキュリティを実現するためには複数設けた方が好ましい。
【００１２】
また、画面上に表示される「所定タイミングで変化する画像」とは、この発明における特殊モードへの切り替えに際して、高セキュリティの実現を行うために、隠しボタンのタッチ操作タイミングを規制するための画像で、操作者がタイミングを認識できる画像であればどのような画図でもよく、例えば、時刻の経過に応じて変化する時刻表示画像等を採用することができる。
【００１３】
また、「特殊モード」とは、システム管理用等の一般ユーザには起動を禁止する動作モードを含む。
【００１４】
また、「変化する画像の変化タイミングに略同期」とは、隠しボタンのタッチ操作が変化する画像の変化タイミングに完全に一致している場合および完全には一致していないがその不一致の度合いが許容範囲である場合も含む。
【００１５】
このような構成によると、処理装置、例えば、遊技店に配置された会員カード端末機または再プレイ玉貸機等の処理装置におけるシステム管理用等の特殊モードの起動を簡易かつ高セキュリティで実現することが可能になる。
【００１６】
また、この発明は、上記構成において、前記隠しボタンが第１の所定の順序または回数タッチ操作され場合は、前記処理装置の動作モードの前記特殊モードへの移行を許可する許可状態になり、該許可状態において、前記隠しボタンが第２の所定の順序または回数でタッチ操作され場合は、前記処理装置の動作モードを前記特殊モードへ移行することを特徴とする。
【００１７】
ここで、隠しボタンをタッチ操作する場合に、第１の所定の順序または回数若しくは第２の所定の順序または回数のタッチ操作の内の少なくと一方が前記変化する画像の変化タイミングに略同期してタッチ操作されることを条件にした場合はこの発明に含まれる。
【００１８】
このような構成によると、上記システム管理用等の特殊モードの起動を簡易にするとともに、更に高い高セキュリティが実現できる。
【００１９】
また、この発明の処理装置、タッチパネル付き液晶表示器を有し、該タッチパネル付き液晶表示器の画面上に各種情報を表示するとともに、該タッチパネル付き液晶表示器の画面上におけるタッチ操作により所定の情報の入力処理を行う処理装置において、前記タッチパネル付き液晶表示器の画面上に隠しボタン領域を設定する隠しボタン領域設定手段と、前記タッチパネル付き液晶表示器の画面上に所定タイミングで変化する画像の表示する表示制御手段と、前記隠しボタン領域が前記変化する画像の変化タイミングに略同期してタッチ操作されたことを検出するタッチ操作検出手段と、前記タッチ操作検出手段の検出出力に基づき動作モードを特殊モードに切り替える動作モード切替手段とを具備することを特徴とする。
【００２０】
また、この発明は、上記構成において、前記タッチ操作検出手段は、前記隠しボタンが第１の所定の順序または回数でタッチ操作され場合に前記特殊モードへの移行を許可する許可状態になったことを示す第１の検出信号を出力し、前記第１の検出信号が出力した状態において、前記隠しボタンが第２の所定の順序または回数でタッチ操作され場合に前記特殊モードへの移行を行う第２の検出信号を出力し、前記動作モード切替手段は、前記タッチ操作検出手段から出力される前記第２の検出信号に基づき動作モードを特殊モードに移行することを特徴とする。
【発明の効果】
【００２１】
この発明によれば、タッチパネル付き液晶表示器を有する処理装置における特殊モードの起動を簡易かつ高セキュリティで実現することができるという効果を奏する。
【発明を実施するための最良の形態】
【００２２】
以下、この発明に係わる処理装置のモード切替方法および処理装置の実施例を添付図面を参照して詳細に説明する。
【００２３】
図１は、この発明に係わる処理装置のモード切替方法および処理装置が適用される遊技店システムの概略構成を示すシステム構成図である。
【００２４】
この遊技店システムは、例えば、パチンコ店等の遊技店に配設されるもので、この遊技店に関して登録された会員に対して発行された会員カードの処理を行う会員カード端末機１０、この遊技店における景品交換を管理する景品管理機２０、この遊技店の全体処理を統括制御するターミナルコントローラ３０を通信線（ローカルエリアネットワーク：ＬＡＮ)４０を介して接続して構成される。
【００２５】
ここで、この発明は、上記会員カード端末機１０において、システム管理のためにシステム管理用の特殊モードの起動を簡易かつ高セキュリティで実現することができるようにしたものである。
【００２６】
図２は、図１に示した会員カード端末機１０の外観を簡略的に示したものである。
【００２７】
図２において、この会員カード端末機１０は、図１に示した遊技店システムが配設された遊技店に関して登録された会員に対して発行された会員カードの処理を行うもので、画面上に各種情報を表示するとともに、画面上におけるタッチ操作により各種情報の入力が可能なタッチパネル付きカラーＬＣＤ（液晶表示器）１１、会員カードを挿入する会員カード挿入口１２が設けられている。
【００２８】
この会員カード端末機１０における通常運用の操作手順は、
１）会員カードを会員カード挿入口１２に挿入する
２）会員カードから会員カード情報を読み取り、この読み取った会員カード情報を通信線４０を介してターミナルコントローラ３０へ通知する
３）貯玉の引落し、景品交換情報をターミナルコントローラ３０から受け取る
４）貯玉の引落し、景品交換情報をタッチパネル付きカラーＬＣＤ１１の画面上に表示し、このタッチパネル付きカラーＬＣＤ１１の画面上におけるタッチ操作により貯玉の引落し、景品交換を選択する
５）選択した貯玉の引落し、景品交換情報を会員カード情報とともにターミナルコントローラ３０へ通知する
６）ターミナルコントローラ３０からの応答に基づき貯玉の引落し、景品交換処理を行う
７）挿入された会員カードを排出する
というものである。
【００２９】
さて、この実施例の会員カード端末機１０においては、この会員カード端末機１０において、システム管理のためにシステム管理用の特殊モードを簡易かつ高セキュリティで起動することができるようにするために、タッチパネル付きカラーＬＣＤ１１の画面上に隠しボタン領域を設定している。
【００３０】
ここで、隠しボタン領域は、タッチパネル付きカラーＬＣＤ１１の画面上にはユーザ操作可能なボタンとしては直接表示されないが、この隠しボタン領域にタッチ操作があると装置側で検出可能なものである。
【００３１】
この実施例の会員カード端末機１０においては、上記隠しボタン（隠しボタン領域）を用いて図１に示した遊技店システムのシステム管理用の特殊モードを簡易かつ高セキュリティで起動することができるように構成されている。
【００３２】
図３は、図１に示した会員カード端末機１０の詳細構成を示すブロック図である。
【００３３】
図３において、この会員カード端末機１０は、隠しボタン領域を設定するための隠しボタン領域設定部１０１、隠しボタンのタッチ操作に基づきこの会員カード端末機１０の動作モードを通常運用モードからシステム管理用の特殊モードに切り替える動作モード切替制御部１０２、通信線４０を介するターミナルコントローラ３０との間の通信を制御する通信制御部１０３、タッチパネル付きカラーＬＣＤ１１の画面上に対する表示制御を行う表示制御部１０４、タッチパネル付きカラーＬＣＤ１１の画面上におけるタッチ操作を検出するタッチ操作検出部１０５、タッチパネル付きカラーＬＣＤ１１の画面上に表示する時計（時刻表示画像）を制御する時計制御部１０６、会員カード挿入口１２を介して挿入される会員カードを処理する会員カード処理部１０７を具備して構成される。
【００３４】
図４は、この実施例における特殊モード起動のために用いる隠しボタン領域の一例を示す図である。なお、図４（ａ）は、隠しボタン領域の一例を示し、図４（ｂ）は、隠しボタン領域をＸ軸およびＹ軸の座標とともに示す。
【００３５】
この実施例においては、タッチパネル付きカラーＬＣＤ１１の画面１１ａ上に９個の隠しボタン番号［１］乃至［９］の９個の隠しボタンを配置するために９個の隠しボタン領域が隠しボタン領域設定部１０１により設定される。
【００３６】
この９個の隠しボタン領域は、具体的には、図４（ｂ）に示すように、タッチパネル付きカラーＬＣＤ１１の画面１１ａ上の座標で設定されるが、図４（ａ）の構成をとった場合の隠しボタン領域の座標の一例を示すと図５のようになる。
【００３７】
図５においては、各隠しボタン領域を隠しボタンの左上座標および右下座標で設定している。例えば、隠しボタン番号［１］の隠しボタンの隠しボタン領域は、左上座標（Ｘ＝１０，Ｙ＝１０）、右下座標（Ｘ＝７０，Ｙ＝９０）で設定される。
【００３８】
装置側では、タッチ操作検出部１０５で検出したタッチパネル付きカラーＬＣＤ１１の画面１１ａ上でタッチ操作された座標が上記隠しボタン領域に含まれていれば、当該隠しボタンのタッチ操作として検出する。
【００３９】
図６は、この実施例における特殊モード起動のための操作手順を示す図である。
【００４０】
図６において、画面１１ａ−１は、タッチパネル付きカラーＬＣＤ１１の待機画面である。この待機画面１１ａ−１においては、「いらっしゃいませ」というメッセージが表示されているだけで、他の表示はない。
【００４１】
この状態で、図２に示した会員カード挿入口１２に会員カードを挿入すると、前述したような通常運用の操作手順が開始される。
【００４２】
ところで、この実施例の会員カード端末機１０においては、上記待機画面１１ａ−１において、図４（ａ）に示したような９個の隠しボタン領域が設定されている。この９個の隠しボタン領域は、タッチパネル付きカラーＬＣＤ１１の画面上には表示されないので一般ユーザはこの隠しボタンの存在を知ることができない。しかし、システム管理等の権限を有する店員等は、この隠しボタン領域の位置を予め知っている。
【００４３】
ここで、システム管理等の権限を有する店員が、この会員カード端末機１０を用いてシステム管理用の特殊モードを起動する場合は、上記待機画面１１ａ−１において、上記隠しボタンを用いて予め設定された第１のバターン、例えば、ボタン番号［１］、［５］、［９］、［３］、［５］、［９］の順で隠しボタンをタッチ操作する。
【００４４】
この隠しボタンのタッチ操作は、最初の隠しボタンのタッチ操作から、例えば、１０ｓｅｃ（１０秒）以内に上記６個の隠しボタンのタッチ操作を完了しないと無効になる。
【００４５】
このような構成によると、一般ユーザが誤ってタッチパネル付きカラーＬＣＤ１１の画面上に設定された隠しボタンにタッチしたとしても、上記６個の隠しボタンを上記の順で操作することは困難であり、更に、上記６個の隠しボタンのタッチ操作を１０ｓｅｃ以内に完了することは難しいので、これにより、高セキュリティが実現できる。
【００４６】
図６に示した待機画面１１ａ−１において、隠しボタンがボタン番号［１］、［５］、［９］、［３］、［５］、［９］の順で正確にタッチ操作されると、特殊モードへの移行を許可する許可状態になり、タッチパネル付きカラーＬＣＤ１１の画面には、時計表示画像（日時および時刻を含む時刻表示画像）が表示される（時計表示画面１１ａ−２）。
【００４７】
この実施例の会員カード端末機１０においては、特殊モード起動のためのセキュリティを更に高めるために、この時計表示画面１１ａ−２において、画面１１ａ−３示すように、更に、隠しボタンを予め設定された第２のバターン、例えば、ボタン番号［１］、［２］、［３］、［５］、［７］、［８］、［９］の順でタッチ操作することが要求される。
【００４８】
この画面１１ａ−３における隠しボタンのタッチ操作においては、隠しボタンを予め設定された第２のパターンでタッチ操作するだけではなく、所定タイミングで変化する画像、この実施例においては、時計表示画像の秒表示の変化に同期して隠しボタンをタッチ操作することが要求される。
【００４９】
すなわち、この画面１１ａ−３における該隠しボタンのタッチ操作は、時計表示画像の秒表示の変化に同期している場合のみ有効になり、それ以外は無効になる。
【００５０】
そして、時計表示画面１１ａ−３における隠しボタンのタッチ操作も、最初の隠しボタンのタッチ操作から、例えば、７ｓｅｃ（７秒）以内に上記７個の隠しボタンのタッチ操作を完了しないと無効になる。
【００５１】
なお、ここで、隠しボタンのタッチ操作を同期させるための所定タイミングで変化する画像として時計表示画像を採用したが、所定タイミングで変化する画像であれば時計表示画像以外でもよい。
【００５２】
図６に示した画面１１ａ−３において、隠しボタンがボタン番号［１］、［２］、［３］、［５］、［７］、［８］、［９］の順で時計表示画像の秒表示の変化に同期して正確にタッチ操作されると、特殊モードへ移行し、タッチパネル付きカラーＬＣＤ１１の画面は、特殊モード起動画面１１ａ−４になる。
【００５３】
この特殊モード起動画面１１ａ−４には、２種類の特殊設定を行うためのボタン「特殊設定１」、「特殊設定２」が表示されており、この特殊モード起動画面１１ａ−４において、このボタン「特殊設定１」、「特殊設定２」のいずれかをタッチ操作することでシステム管理等に係わる特殊設定が可能になる。
【００５４】
このような構成によると、隠しボタンのタッチ操作を時計表示画像の秒表示の変化に同期させて行わなければならないことを知らないと、会員カード端末機１０においてシステム管理等ための特殊モードを起動することは実質的に不可能になり、これにより、特殊モードの起動に関して非常に高いセキュリティを実現することができる。
【００５５】
図７は、上記会員カード端末機１０の動作を示すフローチャートである。
【００５６】
図７において、この処理が開始されると、まず、タッチパネル付きカラーＬＣＤ１１に図６に示した待機画面１１ａ−１を表示する(ステップ７０４)。
【００５７】
そして、次に、待機画面１１ａ−１で隠しボタンがタッチ操作されたかを調べる(ステップ７０２)。ここで、隠しボタンがタッチ操作されていないと判断されると(ステップ７０２でＮＯ)、会員カードが会員カード挿入口１２に挿入されたかを調べる(ステップ７０３)。
【００５８】
ステップ７０３で、会員カードが挿入されていないと判断されると(ステップ７０３でＮＯ)、ステップ７０１へ戻り、待機画面１１ａ−１になるが、会員カードが挿入されていると判断されると(ステップ７０３でＹＥＳ)、この会員カードの挿入に基づく前述した通常運用処理を実行する(ステップ７０４)。そして、この通常運用処理が終了すると(ステップ７０５でＹＥＳ)、ステップ７０１へ戻り、待機画面１１ａ−１になる。
【００５９】
ステップ７０２で、隠しボタンがタッチ操作されたと判断されると(ステップ７０２でＹＥＳ)、このタッチ操作された隠しボタンは、予め設定された第１のパターン、例えば、ボタン番号［１］、［５］、［９］、［３］、［５］、［９］の順に一致するかを調べる(ステップ７０７)。ここで、タッチ操作された隠しボタンが上記ボタン番号［１］、［５］、［９］、［３］、［５］、［９］の順に一致しないと(ステップ７０６でＮＯ)、この不一致が判断された時点で、ステップ７０１へ戻り、待機画面１１ａ−１になる。
【００６０】
隠しボタンが上記ボタン番号［１］、［５］、［９］、［３］、［５］、［９］の順に全てタッチ操作され、ステップ７０６で一致したと判断されると(ステップ７０６でＹＥＳ)、次に、隠しボタンを最初にタッチ操作してからステップ７０６で第１のパターンと一致したと判断されるまでの時間が１０ｓｅｃ以内かを調べる(ステップ７０７)。
【００６１】
ここで、隠しボタンを最初にタッチ操作してからステップ７０６で第１のパターンと一致したと判断されるまでの時間が１０ｓｅｃ以内であると判断されると(ステップ７０７でＹＥＳ)、特殊モードへの移行を許可する許可状態になり、タッチパネル付きカラーＬＣＤ１１の画面に、図６に示したような時計表示画像を表示した時計表示画面１１ａ−３を表示する(ステップ７０８)。
【００６２】
なお、ステップ７０７で、隠しボタンを最初にタッチ操作してからステップ７０６で第１のパターンと一致したと判断されるまでの時間が１０ｓｅｃを越えている場合は(ステップ７０７でＮＯ)、エラーとしてステップ７０１へ戻り、待機画面１１ａ−１になる。
【００６３】
ステップ７０８で、時計表示画像が表示されると、次に、特殊モード起動のために、第２のパターン、例えば、ボタン番号［１］、［２］、［３］、［５］、［７］、［８］、［９］の順で７個の隠しボタンをタッチ操作することが要求される。
【００６４】
そこで、次に、この第２のパターンに基づき時計表示画面１１ａ−３において、隠しボタンがタッチ操作されたかを調べる(ステップ７０９)。ここで、隠しボタンがタッチ操作されたと判断されると(ステップ７０９でＹＥＳ)、この隠しボタンのタッチ操作が時計表示画像の秒の表示の変化タイミングに同期しているかを調べる(ステップ７１０)。
【００６５】
そして、この隠しボタンのタッチ操作が時計表示画像の秒の変化タイミングに同期していないと(ステップ７１０でＮＯ)、この隠しボタンのタッチ操作は無効と判断して、ステップ７０１へ戻り、待機画面１１ａ−１になる。
【００６６】
また、ステップ７１０で、隠しボタンのタッチ操作が時計表示画像の秒の変化タイミングに同期していると判断されると(ステップ７１０でＹＥＳ)、次に、隠しボタンのタッチ操作が終了か、すなわち、７個の隠しボタンのタッチ操作が全て終了したかを調べる(ステップ７１１)。
【００６７】
ここで、７個の隠しボタンのタッチ操作が終了していない場合は(ステップ７１１でＮＯ)、ステップ７０９に戻り、次の隠しボタンがタッチ操作されたかを調べ、ここで、隠しボタンがタッチ操作されたと判断されると(ステップ７０９でＹＥＳ)、この隠しボタンのタッチ操作が時計表示画像の秒の変化タイミングに同期しているかを調べ(ステップ７１０)、この隠しボタンのタッチ操作が時計表示画像の秒の変化タイミングに同期していないと(ステップ７１０でＮＯ)、この隠しボタンのタッチ操作は無効と判断して、ステップ７０１へ戻り、待機画面１１ａ−１になるが、隠しボタンのタッチ操作が時計表示画像の秒の変化タイミングに同期していると判断されると(ステップ７１０でＹＥＳ)、再び、隠しボタンのタッチ操作が終了かを調べる(ステップ７１１)。
【００６８】
このようにして、７個の隠しボタンのタッチ操作が時計表示画像の秒の変化タイミングに同期して行われ、かつ、この７個の隠しボタンのタッチ操作が終了したと判断されると(ステップ７１１でＹＥＳ)、この７個の隠しボタンのタッチ操作は、第２のパターン、すなわちボタン番号［１］、［２］、［３］、［５］、［７］、［８］、［９］の順に一致するかを調べ(ステップ７１２)、一致していないと(ステップ７１２でＮＯ)、ステップ７０１へ戻り、待機画面１１ａ−１になるが、一致したと判断されると(ステップ７１２でＹＥＳ)、次に、時計表示画面１１ａ−３で最初に隠しボタンをタッチ操作してからステップ７１２で第２のパターンと一致したと判断されるまでの時間が７ｓｅｃ以内かを調べる(ステップ７１３)。
【００６９】
ここで、時計表示画面１１ａ−３で最初に隠しボタンをタッチ操作してからステップ７１２で第２のパターンと一致したと判断されるまでの時間が７ｓｅｃを越えている場合は(ステップ７１３でＮＯ)、エラーとしてステップ７０１へ戻り、待機画面１１ａ−１になるが、７ｓｅｃ以内であると判断されると(ステップ７１３でＹＥＳ)、特殊モードを起動するための図６に示したような特殊モード起動画面１１ａ−４を表示する(ステップ７１４)。
【００７０】
この特殊モード起動画面１１ａ−４において、このボタン「特殊設定１」、「特殊設定２」のいずれかをタッチ操作することで、所定の特殊モード処理が実行される(ステップ７１５)。
【００７１】
そして、この特殊モード処理が終了すると(ステップ７１６でＹＥＳ)、ステップ７０１へ戻り、再び待機画面１１ａ−１になる。
【００７２】
なお、上記実施例においては、隠しボタンのタッチ操作において、第１のパターンのタッチ操作時には、１０ｓｅｃ内にタッチ操作が終了すれば、そのタッチ操作のタイミングはどのようなタイミングでも許容し、第２のパターンのタッチ操作時には、この隠しボタンのタッチ操作が時計表示画像の秒の表示の変化タイミング、すなわち、所定タイミングで変化する画像に同期している場合のみ受け付けるように構成したが、第１のパターンのタッチ操作時においても、時計表示画像を表示し、この隠しボタンのタッチ操作が時計表示画像の秒の表示の変化タイミングに同期している場合のみ受け付けるように構成してもよい。
【００７３】
また、第１のパターンのタッチ操作時に、時計表示画像を表示し、この隠しボタンのタッチ操作が時計表示画像の秒の表示の変化タイミングに同期している場合のみ受け付けるように構成し、第２のパターンのタッチ操作時には、所定の時間内にタッチ操作が終了すれば、そのタッチ操作のタイミングはどのようなタイミングでも許容するように構成してもよい。
【００７４】
また、上記実施例においては、第１のパターンのタッチ操作と第２のパターンのタッチ操作との２段階で特殊モードを起動するように構成したが、第１のパターンのタッチ操作のみを採用し、この第１のパターンのタッチ操作時には、時計表示画像を表示し、この隠しボタンのタッチ操作が時計表示画像の秒の表示の変化タイミングに同期している場合、すなわち、所定タイミングで変化する画像に同期している場合のみ受け付けるように構成して、１段階のパターンで隠しボタンをタッチ操作することで特殊モードを起動するように構成してもよい。
【００７５】
なお、上記実施例においては、隠しボタンのタッチ操作を同期させるための所定のタイミングで変化する画像として時計表示画像を採用したが、これに代えて予め設定されるタイミングで動作を繰り返すキャラクタ表示画像を採用することができる。この場合、例えば、キャラクタが手を振るタイミングにあわせたり、所定の範囲を歩き回るキャラクタが方向を変更するタイミングにあわせてタッチ操作を行うようにしてもよい。
【００７６】
なお、上記実施例においては、遊技店に配設される会員カード端末機にこの発明を適用した場合を示したが、遊技店に配設されるレシート発行機、会員情報端末機、再プレイ玉貸機、再プレイメダル貸機等においても同様に適用可能である。
【００７７】
また、この発明は、遊技店に配設される機器に限定されず、モード切り替えを必要とするタッチパネル付き液晶表示器を有する機器であれば、同様に適用可能である。
【産業上の利用可能性】
【００７８】
この発明は、例えば、遊技店に配設される会員カード端末機、レシート発行機、会員情報端末機、再プレイ玉貸機、再プレイメダル貸機等の処理装置において、その動作モードを特殊モードに切り替える構成に利用可能である。この発明によれば、画面上に所定タイミングで変化する画像の表示を行ない、隠しボタンが変化する画像の変化タイミングに略同期してタッチ操作された場合に処理装置の動作モードを特殊モードに切り替えるように構成したので、処理装置におけるシステム管理用等の特殊モードの起動を簡易かつ高セキュリティで実現することができる。
【図面の簡単な説明】
【００７９】
【図１】この発明に係わる処理装置のモード切替方法および処理装置が適用される遊技店システムの概略構成を示すシステム構成図である。
【図２】図１に示した会員カード端末機の外観を簡略的に示したものである。
【図３】図１に示した会員カード端末機の詳細構成を示すブロック図である。
【図４】この実施例における特殊モード起動のために用いる隠しボタン領域の一例を示す図である。
【図５】図４に示した隠しボタン領域の座標の一例を示す図である。
【図６】図３に示した会員カード端末機における特殊モード起動のための操作手順を示す図である。
【図７】図３に示した会員カード端末機の動作を示すフローチャートである。
【符号の説明】
【００８０】
１０    会員カード端末機
１１    タッチパネル付きカラーＬＣＤ（液晶表示器）
１２    会員カード挿入口
２０    景品管理機
３０    ターミナルコントローラ
４０    通信線（ローカルエリアネットワーク：ＬＡＮ)        
１０１    隠しボタン領域設定部
１０２    動作モード切替制御部
１０３    通信制御部
１０４    表示制御部
１０５    タッチ操作検出部
１０６    時計制御部
１０７    会員カード処理部
【図１】
2005143967.tif 000003
【図２】
2005143967.tif 000004
【図３】
2005143967.tif 000005
【図４】
2005143967.tif 000006
【図５】
2005143967.tif 000007
【図６】
2005143967.tif 000008
【図７】
2005143967.tif 000009